(57)【特許請求の範囲】
【請求項１】
通過する気体を浄化するフィルタエレメントと、
該フィルタエレメントが導入および固定されるエレメント導入孔およびエレメント収納室と、該エレメント収納室に空気を導入および排出する空気導入孔および空気排出孔をもつハウジングと、
該エレメント導入孔をふさぐカバー部と、該カバー部と一体的に形成され該フィルタエレメントを保持するエレメント保持枠と、からなる蓋部と、
から構成され、
該ハウジングは、該空気排出孔側で該排出孔の周囲を一周する該エレメント収納室を区画する内壁面に該フィルタエレメントが気密的に当接するリング状当接面と、
該カバー部から遠い端部である先端部を該リング状当接面方向に付勢するばね部材よりなり該エレメント保持枠に保持された該フィルタエレメントを該エレメント保持枠を介して該エレメント導入孔から該リング状当接面に斜め方向に案内する保持枠案内部と、
該蓋部が摺接する傾斜面で構成され、該カバー部と当接し該蓋部を介して該エレメント保持枠に保持された該フィルタエレメントを該リング状当接面に押圧するカバー案内部と、
を有し、
該傾斜面は、該エレメント導入孔を区画する開口部に形成され、該開口部の肉厚は該ハウジングを構成する壁部の肉厚より厚くなっており、かつ該傾斜面に摺接する該カバー部の部分は該カバー部を構成する壁部の肉厚より厚くなっていることを特徴とするエアクリーナ。
【請求項２】
前記ハウジングと前記蓋部の固定は、前記フィルタエレメントの挿入される方向と略平行にもうけられたクリップによりなされる請求項１記載のエアクリーナ。
【請求項３】
通過する気体を浄化するフィルタエレメントと、
該フィルタエレメントが導入および固定されるエレメント導入孔およびエレメント収納室と、該エレメント収納室に空気を導入および排出する空気導入孔および空気排出孔をもつハウジングと、
該エレメント導入孔をふさぐカバー部と、該カバー部と一体的に形成され該フィルタエレメントを保持するエレメント保持枠と、からなる蓋部と、
から構成され、
該ハウジングは、該空気排出孔側で該排出孔の周囲を一周する該エレメント収納室を区画する内壁面に該フィルタエレメントが気密的に当接するリング状当接面と、
該カバー部から遠い端部である先端部を該リング状当接面方向に付勢するばね部材よりなり該エレメント保持枠に保持された該フィルタエレメントを該エレメント保持枠を介して該エレメント導入孔から該リング状当接面に斜め方向に案内する保持枠案内部と、
該蓋部が摺接する平坦面で構成され、該カバー部と当接し該蓋部を介して該エレメント保持枠に保持された該フィルタエレメントを該リング状当接面に押圧するカバー案内部と、
を有し、該平坦面は、該エレメント導入孔を区画する開口部に形成され、該開口部の肉厚は該ハウジングを構成する壁部の肉厚より厚くなっており、かつ該平坦面に摺接する前記カバー部の部分は該カバー部を構成する壁部の肉厚より厚くなっているとともに該肉厚の部分の幅が傾斜して厚くなっていることを特徴とするエアクリーナ。
【請求項４】
前記ハウジングと前記蓋部の固定は、前記カバー部の肉厚部の上面と略直角にもうけられたクリップによりなされる請求項３記載のエアクリーナ。
【発明の詳細な説明】
【０００１】
【発明の属する技術分野】
本発明は、エンジンに供給される空気をろ過により浄化するエアクリーナに関する。
【０００２】
【従来の技術】
自動車のエンジンは、燃料を直接シリンダ内で燃焼させて発生した高温、高圧の燃焼生成物を作動流体として用いることで動力を発生している。シリンダ内で燃料を燃焼させるために、酸素を含んだガスがシリンダ内に供給されている。この酸素を含んだガスとしては、空気が用いられている。この空気は、吸気ダクトにより集気される。しかし、集気された状態の空気は大気中のダストも含んでいるため、ダストがシリンダ内に侵入してシリンダやピストンリング等の摩耗を引き起こすという不具合が生じてくる。このため、吸気ダクトとシリンダの吸気口との間にエアクリーナを設置して空気を浄化している。
【０００３】
エアクリーナは、ケース内部にフィルタエレメントが導入および固定され、このフィルタエレメントを構成するフィルタに空気を通過させ、ダストを取り除いている。フィルタエレメントは、エアクリーナを通過した空気に大気中のダストが混合しないように、通過した空気が排出される空気排出孔側にフィルタエレメントが密着している。
【０００４】
エアクリーナとしては、エアフィルタにろ紙が用いられたろ紙式クリーナが広く用いられている。ろ紙式クリーナは、エアフィルタが目の細かいろ紙であることから非常に細かいダストを取り除くことができるが、エアフィルタの掃除や交換の必要が生じてくる。このため、エアクリーナには、空気中のダストがシリンダ内に侵入しないようにすることとともに、メンテナンスのためにフィルタエレメントの着脱が容易に出来ることが望まれている。
【０００５】
このようなエアクリーナは、たとえば米国特許５０３０２６４号に開示されているものがある。このエアクリーナは、フィルタエレメントが導入および固定されるエレメント導入孔およびエレメント収納室をもつハウジングと、このエレメント導入孔の開口部をふさぐカバーとからなる。カバーは、フィルタエレメントの両側面を挟持する脚部を有し、この脚部は空気排出孔側が直立し空気導入孔側が下幅が狭くなるように傾斜した形状をしている。また、エレメント収納室の両側面側の壁面には、脚部の傾斜したテーパを案内するレールがもうけられている。このエアクリーナは、フィルタエレメントをカバーの脚部に挟んでエレメント導入孔に挿入するものであり、フィルタエレメントをエレメント導入孔に挿入すると、フィルタエレメントを保持している脚部の傾斜したテーパがエレメント導入孔内部のレールに案内され、フィルタエレメントを空気排出孔側の壁面に押圧して密着させている。
【０００６】
また、特開平９−１２２４１７号公報には、別のエアクリーナが開示されている。このエアクリーナは、フィルタエレメントが導入および固定されるエレメント導入孔およびエレメント収納室をもつハウジングと、このエレメント導入孔の開口部をふさぐカバーとからなる。カバーは、フィルタエレメントがはめ込まれた状態で保持する保持体を有し、この保持体はフィルタエレメントの両側面と当接する保持体側面のエレメント収納室の底面側の端部に空気導入孔側の壁面に向かって凸となる突部が形成されている。また、ハウジングにはエレメント収納室の一部を区画する空気導入孔側の壁面が底面から開口部方向に向かって傾斜しているとともにこの壁面の底面側に溝部が形成されたエアクリーナである。このエアクリーナは、エレメント収納室の傾斜した壁面に沿ってフィルタエレメントを挿入して、フィルタエレメントの側端部の突部をエレメント収納室の溝に係合させ、この係合接点を支点としてフィルタエレメントを空気排出孔側に回動させるものである。その後、エレメント導入孔の開口部をふさぐ蓋部材およびエレメント導入孔の開口部の周縁に予めもうけておいたクリップを係止して、フィルタエレメントを固定するものである。
【０００７】
【発明が解決しようとする課題】
しかしながら、米国特許５０３０２６４号に記載のエアクリーナは、フィルタエレメントを挟持する傾斜した脚部がエレメント収納室内に傾斜して形成されたレールに接触し、この脚部とレールのくさび作用によって空気排出孔側の壁面に脚部に挟持されたフィルタエレメントを押圧しているが、この押圧力は脚部とレールのすべり動作により発生するものであり、脚部とレールの接触面での摩擦損失が少なからずあるため実際にはさほどのシール効果が期待できない。さらに、フィルタエレメントを奧まで挿入するために脚部を深く食い込ませると、フィルタエレメントが引き抜きにくくなっていた。また、フィルタ部材を保持するとともに脚部に挟持されるための支持部を有するフレーム部と、脚部を形成する蓋部との二つの部品からなっているため、コストも高くなっていた。
【０００８】
また、特開平９−１２２４１７号公報に記載のエアクリーナは、フィルタエレメントを保持する保持体の側面に形成された突部をエレメント収納室の溝に係合させ、この係合接点を支点として回動させるものである。このエアフィルタは、フィルタエレメントの突部をエレメント収納室の溝にはめ込むときや、取り外すときに余計な力が掛かるという不具合を有していた。
【０００９】
本発明は上記実状に鑑みてなされたものであり、フィルタエレメントの取り付け、取り外しが容易に行われるエアクリーナを提供することを課題とする。
【００１０】
【課題を解決するための手段】
上記課題を解決するために本発明者らは、フィルタエレメントをハウジングのエレメント収納室に導入および固定する方法について検討を重ねた結果、エレメント導入孔の開口をふさぐ蓋部およびエレメント導入孔を区画するハウジングの開口部と蓋部との当接部に傾斜部を形成し、この傾斜部により蓋部材を介して蓋部材に保持されたフィルタエレメントを空気排出孔側の壁面に気密的に当接させることで上記課題を解決できることを見出した。
【００１１】
すなわち、本発明の第一のエアクリーナは、通過する気体を浄化するフィルタエレメントと、フィルタエレメントが導入および固定されるエレメント導入孔およびエレメント収納室と、エレメント収納室に空気を導入および排出する空気導入孔および空気排出孔をもつハウジングと、エレメント導入孔をふさぐカバー部と、該カバー部と一体的に形成されフィルタエレメントを保持するエレメント保持枠と、からなる蓋部と、から構成され、ハウジングは、空気排出孔側で排出孔の周囲を一周するエレメント収納室を区画する内壁面にフィルタエレメントが気密的に当接するリング状当接面と、カバー部から遠い端部である先端部をリング状当接面方向に付勢するばね部材よりなりエレメント保持枠に保持されたフィルタエレメントをエレメント保持枠を介してエレメント導入孔からリング状当接面に斜め方向に案内する保持枠案内部と、蓋部が摺接する傾斜面で構成され、カバー部と当接し蓋部を介してエレメント保持枠に保持されたフィルタエレメントをリング状当接面に押圧するカバー案内部と、を有し、傾斜面は、エレメント導入孔を区画する開口部に形成され、開口部の肉厚はハウジングを構成する壁部の肉厚より厚くなっており、かつ傾斜面に摺接するカバー部の部分はカバー部を構成する壁部の肉厚より厚くなっていることを特徴とする。
また、本発明の第二のエアクリーナは、通過する気体を浄化するフィルタエレメントと、フィルタエレメントが導入および固定されるエレメント導入孔およびエレメント収納室と、エレメント収納室に空気を導入および排出する空気導入孔および空気排出孔をもつハウジングと、エレメント導入孔をふさぐカバー部と、カバー部と一体的に形成されフィルタエレメントを保持するエレメント保持枠と、からなる蓋部と、から構成され、ハウジングは、空気排出孔側で排出孔の周囲を一周するエレメント収納室を区画する内壁面にフィルタエレメントが気密的に当接するリング状当接面と、カバー部から遠い端部である先端部をリング状当接面方向に付勢するばね部材よりなりエレメント保持枠に保持されたフィルタエレメントをエレメント保持枠を介してエレメント導入孔からリング状当接面に斜め方向に案内する保持枠案内部と、蓋部が摺接する平坦面で構成され、カバー部と当接し蓋部を介してエレメント保持枠に保持されたフィルタエレメントをリング状当接面に押圧するカバー案内部と、を有し、平坦面は、エレメント導入孔を区画する開口部に形成され、開口部の肉厚はハウジングを構成する壁部の肉厚より厚くなっており、かつ平坦面に摺接するカバー部の部分はカバー部を構成する壁部の肉厚より厚くなっているとともに肉厚の部分の幅が傾斜して厚くなっていることを特徴とする。
【００１２】
【発明の実施の形態】
本発明のエアクリーナは、フィルタエレメントと、ハウジングと、蓋部と、から構成され、ハウジングは、空気排出孔側で排出口の周囲を一周するエレメント収納室を区画する内壁面にフィルタエレメントが気密的に当接するリング状当接面と、エレメント保持枠に保持されたフィルタエレメントをエレメント導入孔からリング状当接面に斜め方向に案内する保持枠案内部と、カバー部と当接し蓋部を介してフィルタエレメントをリング状当接面に押圧するカバー案内部とを有することを特徴とする。
【００１３】
リング状当接面は、エレメント収納室を区画する内壁面の空気排出孔側で空気排出孔の周囲を一周する部分であり、エレメント収納室内に収納されたフィルタエレメントが気密的に当接する部分である。フィルタエレメントがリング状当接面に気密的に当接することで、ダストを含んだ空気およびダストが取り除かれた空気がこの当接面部を通過しなくなり、空気排出孔からはフィルタエレメントによりダストが取り除かれた空気のみが排出される。
【００１４】
保持枠案内部は、エレメント保持枠に保持されたフィルタエレメントをエレメント保持枠とともにエレメント導入孔からリング状当接面に斜め方向に案内するとともに、エレメント保持枠に保持されたフィルタエレメントをリング状当接面に押圧するものである。この保持枠案内部は、蓋部に形成されたエレメント保持枠の先端側を押圧することで、カバー部から遠い端部である先端部をリング状当接面に付勢するばね部材であることが好ましい。ばね部材は、エレメント保持枠を介してフィルタエレメントをリング状当接面に付勢するとともにフィルタエレメントの着脱が容易に行われるように形成されていることが好ましい。たとえば、ばね部材としては、一端がエレメント収納室の空気導入孔の底面側に固定され、この固定部からエレメント導入孔の開口部に向かって延びたのち、空気排出孔側に折り返された金属板等が用いられる。
【００１５】
カバー案内部は、カバー部と当接し蓋部を介してフィルタエレメントをリング状当接面に押圧するものである。このカバー案内部は、蓋部が摺接する傾斜面で構成されていることが好ましい。カバー案内部は、蓋部をハウジングに装着したときに、フィルタエレメントの導入される方向と略平行な方向にかかる力である蓋部をハウジングに固定するための力が略直角方向に曲げられ、蓋部を介してフィルタエレメントを空気排出孔側に付勢する力とするものである。
【００１６】
傾斜面は、エレメント導入孔を区画する開口部に形成され開口部の肉厚がハウジングを構成する壁部の肉厚より厚くなっており、かつ傾斜面に摺接する蓋部の部分は蓋部を構成する壁部の肉厚より厚くなっていることが好ましい。蓋部およびハウジングの摺接面部の肉厚がそれぞれの壁部の肉厚より厚くなっていることでカバー案内部の傾斜面にかかる圧力を低くできるとともに、ハウジングおよび蓋部のそれぞれの強度を強くしている。
【００１７】
フィルタエレメントは、通過する気体を浄化するろ過部と、ろ過部の周縁に一体に形成されたフランジ部とから形成される。ここで、ろ過部は不織布を波状にプリーツ加工したものであり、フランジ部はろ過部の周縁部にもうけられ、ろ過部の波状のプリーツ加工を保持するとともにエレメント収納室中でリング状当接面と当接するものである。フランジ部は、不織布の繊維より融点の低い熱可塑性樹脂繊維を混入しておき、この熱可塑性樹脂繊維のみが溶融する温度で加熱圧縮して形成される。
【００１８】
また、フィルタエレメントには、通過する気体を浄化するエアフィルタと、このエアフィルタを保持する保持体とからなるものを用いてもよい。このフィルタエレメントは、エアフィルタを保持するとともに強度の低いエアフィルタのかわりにエレメント収納室中でリング状当接面に押圧されたときに押圧力を受ける部材である保持体を有するものである。エアフィルタには、通常のエアクリーナに用いられるものを使用することができ、たとえば、ろ紙や不織布を波状にプリーツ加工したものを用いることができる。保持体は、金属材料あるいは、射出成形されたポリプロピレン等により形成されたものである。
【００１９】
ハウジングは、フィルタエレメントが導入されるエレメント導入孔と、フィルタエレメントが収納されるエレメント収納室と、エレメント収納室に空気を導入および排出する空気導入孔および空気排出孔を区画する。
ハウジングは、エレメント収納室の一部を区画するとともに空気導入孔が開口した内壁面を有する導入ハウジングと、導入ハウジングと一体的に接合されてエレメント収納室を区画するとともに空気排出孔が開口した内壁面を有する排出ハウジングと、から形成され、両ハウジングの接合部がエレメント収納室の側面に形成されることが好ましい。ここで、導入ハウジングおよび排出ハウジングはともにポリプロピレン等の樹脂が成形されたものであり、両ハウジングの接合は、振動溶着等の方法によりなされる。
【００２０】
蓋部は、ハウジングに開口したエレメント導入孔を気密的にふさぐカバー部と、該カバー部と一体的に形成されフィルタエレメントを保持するエレメント保持枠と、から構成される。エレメント保持枠は、蓋部のエレメント収納室と対向する面に形成されたフィルタエレメントの外周形状に沿った断面を有する筒状の形状をしていることが好ましい。この蓋部は、ハウジングと同じ樹脂であるポリプロピレンにより形成される。
【００２１】
ハウジングへの蓋部の固定は、フィルタエレメントの挿入される方向と略平行にもうけられたクリップによりなされることが好ましい。このクリップは、ハウジングに固定された一端部と、蓋部を係止する他端部とから構成されていることが好ましい。
フィルタエレメントのリング状当接面への当接は、シール部材を介してなされることが好ましい。すなわち、シール部材は、ハウジングのリング状当接面あるいは、フィルタエレメントのリング状当接面との当接部であるフランジ部にもうけられていることが好ましい。このシール部材としては、不織布や、発泡ポリウレタン樹脂が用いられる。
【００２２】
エレメント収納室の一部として区画されたフィルタエレメントの底面と対向する面は、リング状当接面を形成する平面と直角に形成され、この底面と対向するエレメント保持枠の一端部の先端面が平坦に形成されていることが好ましい。
エレメント収納室の一部として区画する空気排出孔の開口する内壁面が空気導入孔の開口する内壁面より広くなるようにエレメント収納室の底面に傾斜面が形成されているとともに、エレメント保持枠の先端面のリング状当接面と当接する面側に突起が形成されることが好ましい。エレメント保持枠の先端面に突部をもうけてエレメント収納室に傾斜した底面をもうけることでフィルタエレメントが空気排出孔側に案内される。
【００２３】
カバー案内部は、蓋部が摺接する平坦面であることが好ましく、この平坦面が、エレメント導入孔を区画する開口部に形成され、開口部の肉厚はハウジングを構成する壁部の肉厚より厚くなっており、かつ平坦面に摺接するカバー部の部分はカバー部を構成する壁部の肉厚より厚くなっているとともに肉厚の部分の幅が傾斜して厚くなっていることが好ましい。ハウジングと蓋部の固定は、カバー部の肉厚部の上面と略直角にもうけられたクリップによりなされることが好ましい。クリップがフィルタエレメントの挿入される方向より傾斜した方向であるため、クリップが発生する力は、蓋部を押圧する力と、蓋部を空気排出孔側に押し付ける力とに分解できる。この蓋部を空気排出孔側に押し付ける力により、蓋部を介してフィルタエレメントをリング状当接面に当接させる力となる。
【００２４】
【実施例】
以下、実施例を用いて本発明を説明する。
（実施例１）
実施例１のエアクリーナは、図１に示されるように、フィルタエレメント５０１と、フィルタエレメント５０１が保持されるエレメント保持枠３３１とフィルタエレメント５０１が導入されるエレメント導入孔２１１をふさぐカバー部３１１とを有する蓋部３０１と、エレメント保持枠３３１に保持されたフィルタエレメント５０１が収納保持されるエレメント収納室２３１およびエレメント収納室２３１の壁面に開口する空気導入孔１２１ならびに空気排出孔１４１とを区画するハウジング１０１と、エレメント収納室２３１内に形成されたばね部材７０１と、ハウジング１０１に開口する空気排出孔１４１の周囲を一周する内壁面でフィルタエレメント５０１が気密的に当接するリング状当接面１６１と、を有するものである。
【００２５】
フィルタエレメント５０１は、不織布を波状に折り曲げたろ過部５１１と、ろ過部５１１の外周に一体に形成されろ過部５１１の波状の折り目を保持するフランジ部５３１と、フランジ部５３１のリング状当接面１６１と当接する面に形成された不織布よりなるシール部材５５１と、から構成されている。
ハウジング１０１は、エレメント導入孔２１１ならびにエレメント収納室２３１の一部および空気導入孔を区画する導入ハウジング１１１と、導入ハウジング１１１と一体的に接合されてエレメント導入孔２１１およびエレメント収納室２３１を区画するとともに空気排出孔１４１が区画された排出ハウジング１３１と、が一体的に接合されたものであり、両ハウジングの接合面がエレメント収納室２３１の側面に形成されたものである。さらに、エレメント導入孔２１１の開口部のまわりにハウジング１０１の壁部より肉厚が厚くなっている開口フランジ部１５１が傾斜した形状でもうけられている。この開口フランジ部１５１の傾斜は空気排出孔側が低くなるようにもうけられている。
【００２６】
エレメント導入孔２１１およびエレメント収納室２３１は、エレメント保持枠３３１に保持されたフィルタエレメント５０１が挿入固定されるだけの十分な広さを有している。また、エレメント収納室２３１に開口する空気排出孔１４１および空気導入孔１２１は、フィルタエレメント５０１を挟んで対向する面にそれぞれ開口している。
【００２７】
ハウジング１０１を形成する導入ハウジング１１１および排出ハウジング１３１は、ともにポリプロピレンが成形されたものであり、両ハウジングの接合方法は、振動溶着が用いられた。
ばね部材７０１は、一端が空気導入孔１２１の開口した壁面の開口部の底面側に固定され、この固定部からエレメント導入孔２１１の開口部方向にエレメント収納室２３１の底面からおよそ３５ｍｍまでのび空気排出孔１４１側に折り返されたステンレスよりなる部材である。
【００２８】
蓋部３０１は、フィルタエレメント５０１が保持されるエレメント保持枠３３１と、フィルタエレメント５０１が導入されるエレメント導入孔２１１をふさぐカバー部３１１と、が一体的に形成され、蓋部３０１の周縁部であるハウジングと１０１の当接部に開口フランジ部１５１と摺接する蓋フランジ部３５１が形成されている。蓋部３０１に形成されたエレメント保持枠３３１は、内部にフィルタエレメント５０１が保持できるように断面形状がフィルタエレメント５０１の外周面の形状と一致する筒状の形状をしている。
【００２９】
本実施例のエアクリーナ１０１は、蓋部３０１に形成された筒状のエレメント保持枠３３１の内部にフィルタエレメント５０１を挿入し、このフィルタエレメント５０１を保持した蓋部３０１をハウジング１０１に装着し、この蓋部３０１をハウジング１０１にもうけられたクリップ８０１によりハウジング１０１に固定して用いられる。
【００３０】
蓋部３０１に形成された筒状のエレメント保持枠３３１の内部にフィルタエレメント５０１を挿入し、このフィルタエレメント５０１を保持したエレメント保持枠３３１がエレメント導入孔２１１から挿入されると、エレメント保持枠３３１の先端部がハウジング１０１内にもうけられたばね部材７０１に当接し、このばね部材７０１の弾性力によりエレメント保持枠３３１およびエレメント保持枠３３１に保持されたフィルタエレメント５０１がリング状当接面１６１側に案内される。
【００３１】
蓋部３０１のカバー部３１１がエレメント導入孔２１１をふさぐようにハウジング１０１に装着され、蓋部３０１がクリップ８０１でハウジング１０１に固定される。このときに、蓋部３０１をハウジング１０１に押しつける力が、傾斜した開口フランジ部１５１により力の向きが変えられ、蓋部３０１に保持されたフィルタエレメント５０１を空気排出孔１４１側に押しつける力になり、フィルタエレメント５０１をリング状当接面１６１に気密的に当接させる。
【００３２】
（実施例２）
本実施例は、図３および図４に示されるエアクリーナであり、エレメント収納室２３２の底面が空気排出孔１４２側に傾斜しているとともに、エレメント収納室２３２の底面と対向するエレメント保持枠の先端部の空気排出孔１４２側に突部３４２が形成されたエアクリーナであり、それ以外は実施例１と同様に形成されている。すなわち、本実施例は、エレメント収納室２３２の一部を区画する排出ハウジング１３２のエレメント収納室２３２の底面を区画する部分が傾斜しているとともに、蓋部３０２に形成されたエレメント保持枠３３２の先端面に突部３４２が形成されたものである。
【００３３】
本実施例では、エレメント保持枠３３２に保持されたフィルタエレメント５０２がエレメント導入孔２１２から挿入され、エレメント収納室２３２内にもうけられたばね部材７０２によりエレメント保持枠３３２および保持されたフィルタエレメント５０２が空気排出孔１４２側に導かれながら、エレメント保持枠３３２の先端面にもうけられた突部３４２がエレメント収納室２３２の底面と接触し、その後もフィルタエレメント５０２をエレメント収納室２３２に挿入する方向に力がくわえられると、先端部の突部３４２が傾斜面にそってずれるため、フィルタエレメント５０２が空気排出孔１４２側の壁面に導かれるようになる。その後、実施例１と同様に蓋部３０２をハウジング１０２にクリップ８０２により固定されることで、フィルタエレメント５０２が空気排出孔１４２側のリング状当接面１６２に気密的に当接される。
【００３４】
（実施例３）
本実施例は、図５に示されるエアクリーナであり、ハウジング１０３のエレメント導入孔２１３の開口部を区画するとともに蓋部３０３との摺接面が平坦に形成された開口フランジ１５３と、開口フランジ１５３と摺接する蓋部３０３の周縁部に形成されその厚みが空気排出孔１４３側が厚くなるように傾斜した蓋フランジ部３５３と、蓋フランジ部３５３の傾斜面と直角の方向にもうけられこの方向に係止するクリップ８０３と、を有する以外は、実施例１と同様なエアクリーナである。
【００３５】
本実施例は、実施例１と同様にエレメント保持枠３３３に保持されたフィルタエレメント５０３がエレメント導入孔２１３に挿入された後、蓋部３０３がクリップ８０３によりハウジング１０３に固定される。本実施例では、ハウジング１０３に形成されたクリップ８０３が傾斜しているため、蓋部３０３を固定するときに蓋部３０３を固定する力が空気排出孔１４３側に蓋部３０３を押す力も発生させ、この力により蓋部３０３のエレメント保持枠３３３に保持されたフィルタエレメント５０３を空気排出孔１４３側の壁面に押圧している。この押圧によりフィルタエレメント５０３がリング状当接面１６３に気密的に当接される。
【００３６】
（実施例４）
本実施例は、図６に示されるエアクリーナである。本実施例のエアクリーナは、ハウジング１０４のリング状当接面１６４にシール部材１５４が形成され、フィルタエレメント５０４のフランジ部５３４にシール部材が形成されていないこと以外は、実施例１と同様なエアクリーナである。また、本実施例は、実施例１と同様にフィルタエレメント５０４がエレメント導入孔から挿入された後、蓋部３０４がクリップ８０４によりハウジング１０４に固定される。
【００３７】
本実施例は、リング状当接面１６４にシール部材１５４が形成された例であるが、フィルタエレメント５０４とリング状当接面１６４との当接部は、気密性が保たれている。
【００３８】
【発明の効果】
本発明のエアクリーナは、ハウジングと蓋部との当接面を傾斜した摺接面とすることでフィルタエレメントの挿入される方向にかかる蓋部をハウジングに固定するための力をフィルタエレメントをリング状当接面に当接させる力としている。本発明のエアクリーナは、蓋部を介してフィルタエレメントをリング状当接面に気密的に当接させるため、フィルタエレメントの挿入および取り外しが容易となる効果を有する。
【図面の簡単な説明】
【図１】  実施例１のエアクリーナにおけるフィルタエレメント装着前の図である。
【図２】  実施例１のエアクリーナにおいてフィルタエレメントを装着した図である。
【図３】  実施例２のエアクリーナにおいてフィルタエレメントを装着する図である。
【図４】  実施例２のエアクリーナにおいてフィルタエレメントを装着した図である。
【図５】  実施例３のエアクリーナを示す図である。
【図６】  実施例４のエアクリーナを示す図である。
【符号の説明】
１０１、１０２、１０３、１０４…ハウジング
１１１、１１２、１１３、１１４…導入ハウジング
１２１、１２２、１２３、１２４…空気導入孔
１３１、１３２、１３３、１３４…排出ハウジング
１４１、１４２、１４３、１４４…空気排出孔
１５１、１５２、１５３、１５４…開口フランジ部
１６１、１６２、１６３、１６４…リング状当接面
２１１、２１２、２１３、２１４…エレメント導入孔
２３１、２３２、２３３、２３４…エレメント収納室
３０１、３０２、３０３、３０４…蓋部
３１１、３１２、３１３、３１４…カバー部
３３１、３３２、３３３、３３４…エレメント保持枠
３５１、３５２、３５３、３５４…蓋フランジ部
５０１、５０２、５０３、５０４…フィルタエレメント
７０１、７０２、７０３、７０４…ばね部材
８０１、８０２、８０３、８０４…クリップ
【図１】
0003772541.tif 000002
【図２】
0003772541.tif 000003
【図３】
0003772541.tif 000004
【図４】
0003772541.tif 000005
【図５】
0003772541.tif 000006
【図６】
0003772541.tif 000007